(57)【要約】【課題】黒レベルを上げずに安定なアドレスが実現できるプラズマディスプレイの駆動方法を実現する。【解決手段】初期化パルスＰｒを印加する際に、初期化パルスを印加しないほうの行電極に行電極対間の電圧が低くなるように補助電圧（パルス）Ｐｕｘを印加する。【選択図】　図２
2004012786.tif 000002
【特許請求の範囲】
【請求項１】
行電極対の一方に初期化パルスを印加して初期化放電を生じさせる初期化期間と、データ電極にアドレスパルスを印加してデータの書き込みを行うアドレス期間を有し、前記初期化パルス印加期間に、他方の行電極に前記行電極対間の電圧が低くなるような補助電圧を印加することを特徴とするプラズマディスプレイの駆動方法。
【請求項２】
前記補助電圧は、少なくとも前記初期化放電が生じている期間に印加されることを特徴とする請求項１記載のプラズマディスプレイの駆動方法。
【請求項３】
前記補助電圧を印加する期間は、少なくとも前記初期化パルスの印加開始から前記初期化放電が終了するまでであることを特徴とする請求項２記載のプラズマディスプレイの駆動方法。
【請求項４】
アドレス期間においても前記補助電圧を印加することを特徴とする請求項１記載のプラズマディスプレイの駆動方法。
【請求項５】
行電極対の一方に初期化パルスを印加して初期化放電を生じさせる初期化期間とアドレスパルスを列電極に印加してデータの書き込みを行うアドレス期間を有する複数のサブフィールドを有し、少なくとも一つ以上のサブフィールドにおいて、前記初期化パルス印加期間に、他方の行電極に前記行電極対間の電圧が低くなるような補助電圧を印加することを特徴とする請求項１記載のプラズマディスプレイの駆動方法。
【請求項６】
前記補助電圧を印加するサブフィールド群は、前記補助電圧を印加しないサブフィールド群よりも、維持パルス数が多いサブフィールドで構成されることを特徴とする請求項５記載のプラズマディスプレイの駆動方法。
【請求項７】
前記補助電圧を印加する期間は、少なくとも前記初期化放電が生じている期間であることを特徴とする請求項５記載のプラズマディスプレイの駆動方法。
【請求項８】
前記補助電圧を印加する期間は、少なくとも前記初期化パルスの印加開始から前記初期化放電が終了するまでであることを特徴とする請求項７記載のプラズマディスプレイの駆動方法。
【請求項９】
アドレス期間においても前記補助電圧を印加し続けることを特徴とする請求項８記載のプラズマディスプレイの駆動方法。
【発明の詳細な説明】
【０００１】
【発明の属する技術分野】
この発明は交流型プラズマディスプレイパネルの駆動方法に関し、特に面放電型プラズマディスプレイパネルの駆動方法に関する。
【０００２】
【従来の技術】
プラズマディスプレイの駆動方法においては、プラズマディスプレイを構成するセルにアドレス（表示データ）を書き込む前にセルの初期化を施すのが一般的である。
【０００３】
こうした初期化については、例えば特開平７−１６０２１８号公報に開示されているように行電極の一方に初期化パルスを印加する方法が知られている。また、特開平８−２７２３３５号公報に開示されているように、行電極対にそれぞれ極性の異なったパルスを同時に印加して初期化を行う方法なども知られている。また、初期化放電の回数を少なく抑えるために、特開平１０−３２８１号公報に開示されているように、最初のサブフィールド以外の初期化期間には維持放電が生じたときに消去放電を生じさせるようにする方法が知られている。
【０００４】
【発明が解決しようとする課題】
しかし、従来の初期化放電は、行電極対間の面放電を積極的に生じさせるため、パネル表面からの発光が大きくなって輝度が高くなるという不都合が生じる。さらに、全セルで初期化放電を起こすため、サブフィールドが多くなるとこの初期化放電発光による黒レベルの上昇が問題になる。
【０００５】
一方、初期化放電を最初のサブフィールドのみで行う方法では、黒レベルを低くすることができるものの、初期化放電のプライミング効果が、時間的に初期化から離れた後のほうのサブフィールドで薄れてくるために、毎サブフィールドで初期化を行うときよりもアドレス（表示データ）が弱くなる傾向がある。
【０００６】
本発明は、毎サブフィールド安定にアドレスを行い、かつ、低い黒レベルを実現できるプラズマディスプレイの駆動方法を提供することを目的とする。
【０００７】
【課題を解決するための手段】
この課題を解決するために、本発明のプラズマディスプレイの駆動方法は、行電極対の一方に初期化パルスを印加して初期化放電を生じさせる初期化期間と、データ電極にアドレスパルスを印加してデータの書き込みを行うアドレス期間を有し、初期化パルスを印加する期間に、初期化パルスを印加しないほうの行電極に行電極対間の電圧が低くなるように補助電圧を印加したプラズマディスプレイの駆動方法である。このような構成により、初期化放電時の行電極間の面放電が弱くなって輝度が低くなる一方、データ電極と行電極間の対向放電が強くなって、アドレスにおけるプライミングがそれほど損なわれないため、黒レベルを抑えられて安定なアドレスを実現できる。
【０００８】
また、本発明のプラズマディスプレイの駆動方法は、行電極対の一方に初期化パルスを印加して初期化放電を生じさせる初期化期間とアドレスパルスを列電極に印加してデータの書き込みを行うアドレス期間を有する複数のサブフィールドを有し、少なくとも一つ以上の維持パルス数の少ないサブフィールドにおいて、初期化パルスを印加する期間に、初期化パルスを印加しないほうの行電極に行電極対間の電圧が低くなるように補助電圧を印加するものである。このような方法により、黒レベルをある程度抑えられるとともに、より安定なアドレスを実現することができる。
【０００９】
【発明の実施の形態】
以下、本発明の実施の形態について、図を参照しながら説明する。
【００１０】
（実施の形態１）
本発明の説明においてプラズマディスプレイのパネル構造は詳述しない。しかし、一般的に良く知られている構造としては、第１のガラス基板上に誘電体層及び保護層で覆われた走査電極及び維持電極とが対をなして互いに平行に列設し、また、第２のガラス基板上には誘電体層で覆われた複数のデータ電極を列設し、これらデータ電極の各間の誘電体層上にはデータ電極と平行して隔壁を設け、誘電体層の表面及び隔壁の両側面に蛍光体層を形成したものが知られている。また第１のガラス基板と第２のガラス基板とは走査電極及び維持電極とデータ電極とが直交するように放電空間を隔てて対向して配置している。
【００１１】
図１は本発明に係るプラズマディスプレイの構成図を示す。図１を正視して、パネル１の左側には走査電極側駆動回路２が、右側にはデータドライバ３をそれぞれ配置する。また、走査電極ＳＣ１〜ＳＣｎには走査電極側駆動回路２を接続し、維持電極ＳＵ１〜ＳＵｎには維持電極側駆動回路３を接続する。また、パネル１の下方には、データ電極Ｄ１〜Ｄｍが配設し、これらのデータ電極Ｄ１〜Ｄｍはドライバ４に接続する。
【００１２】
すなわち、走査電極側駆動回路２からは走査電極ＳＣ１〜ＳＣｎに、維持電極駆動回路３からは維持電極ＳＵ１〜ＳＵｎにそれぞれ駆動電圧を供給している。またデータドライバ４からはデータ電極Ｄ１〜Ｄｍにデータ電圧を供給している。
【００１３】
次に、図１及び図２を用いて駆動方法の実施例を説明する。図２は、本発明の実施の形態１に係る駆動電圧波形を示す。データ電極Ｄ１〜Ｄｍ、走査電極ＳＣ１〜ＳＣｎ及び維持電極ＳＵ１〜ＳＵｎに印加する電圧波形は、図１示のそれぞれデータドライバ４、走査電極側駆動回路２及び維持電極側駆動回路３によって発生している。
【００１４】
図２を参照すると、本構成のサブフィールドは初期化期間、アドレス期間及び維持期間の３つの期間で構成されている。初期化期間では、初期化パルスＰｒが走査電極ＳＣ１〜ＳＣｎに印加され、同時に維持電極ＳＵ１〜ＳＵｎに補助パルス（電圧）Ｐｕｘが印加されている。アドレス期間では、正極性のアドレスパルスＰａが表示データに従ってデータ電極Ｄ１〜Ｄｍに印加され、アドレスパルスＰａの印加と同時に走査電極ＳＣ１〜ＳＣｎに負極性の走査パルスＰｓｃｎが順次印加される。アドレスパルスＰａと走査パルスＰｓｃｎが同時に印加されたセルでは、データ電極Ｄ１〜Ｄｍと走査電極ＳＣ１〜ＳＣｎとの間でアドレス放電が生じて、データの書き込みが行われる。このとき、維持電極ＳＵ１〜ＳＵｎに、アドレス放電を生じやすくするためのアドレス補助パルスＰｕａが印加される。維持期間では、維持パルスＰｓｙおよびＰｓｘが走査電極ＳＣ１〜ＳＣｎおよび維持電極ＳＵ１〜ＳＵｎに印加される。
【００１５】
本構成では、初期化パルスＰｒの印加時の走査電極（ＳＣ１〜ＳＣｎ）と維持電極（ＳＵ１〜ＳＵｎ）間の電圧が、補助パルスＰｕａを印加することによって低くなり、この間で生じる放電が弱くなって発光量が少なくなる。一方、走査電極ＳＣ１〜ＳＣｎから見たデータ電極Ｄ１〜Ｄｍの電位は相対的に低くなることから、走査電極（ＳＣ１〜ＳＣｎ）とデータ電極（Ｄ１〜Ｄｍ）間の放電が生じやすくなって、この間で生じる放電は強くなる。走査電極（ＳＣ１〜ＳＣｎ）と維持電極（ＳＵ１〜ＳＵｎ）間の放電はパネル表面から見て横方向の面放電であるのに対し、走査電極（ＳＣ１〜ＳＣｎ）とデータ電極（Ｄ１〜Ｄｍ）間の放電は前後方向の対向放電である。このため、走査電極（ＳＣ１〜ＳＣｎ）とデータ電極（Ｄ１〜Ｄｍ）間の放電が強くなっても輝度の上昇は少ない。本構成では、走査電極（ＳＣ１〜ＳＣｎ）と維持電極間（ＳＵ１〜ＳＵｎ）の面放電による発光が弱まる影響が大きく、初期化放電全体の輝度は下がる。初期化放電の輝度は黒を表示したときの輝度（黒レベル）に相当するため、初期化放電の輝度が下がるということは黒レベルが低くなり、コントラストが上昇することを意味する。一方、走査電極（ＳＣ１〜ＳＣｎ）と維持電極（ＳＵ１〜ＳＵｎ）間の放電が弱まることによってプライミングが減少しても、走査電極（ＳＣ１〜ＳＣｎ）とデータ電極（Ｄ１〜Ｄｍ）間の放電が強くなってプライミングの減少を補うため、アドレス放電がほとんど不安定にならない。
【００１６】
つまり、本構成によれば、初期化パルスＰｒの印加と同時に補助パルスＰｕａを維持電極ＳＵ１〜ＳＵｎに印加することによって、初期化のプライミング効果をほとんど損なわずに黒レベルを低くできるので、安定にアドレスを行うことができるとともに、コントラストを良化できるという効果を有する。
【００１７】
（実施の形態２）
図３は、本発明の実施の形態２に係る駆動電圧波形を示す。パネル構造、プラズマディスプレイの構成は実施の形態１とほぼ同じである。
【００１８】
本構成では、補助パルスＰｕｘを初期化パルスＰｒを印加してからアドレス期間が終了するまでの間印加し続ける。その他の構成は実施の形態１とほぼ同じである。
【００１９】
実施の形態２によれば、実施の形態１と同様に、初期化の効果は損なわず黒レベルを低くできる。補助パルスＰｕｘの波高値を大きくしすぎると、アドレス期間でアドレスパルス印加の有無によらず走査電極（ＳＣ１〜ＳＣｎ）と維持電極（ＳＵ１〜ＳＵｎ）間で誤放電が生じてしまうため、補助パルスＰｕｘの電圧設定は制約を受ける。一方、本構成では電源を一つにすることができるため、回路のコストアップを抑えられる。
【００２０】
つまり、本構成によれば、初期化パルスＰｒの印加からアドレス期間終了までの期間に補助パルスＰｕｘを印加することによって、初期化のプライミング効果をほとんど損なわずに黒レベルを低くできるので、安定にアドレスを行うことができるとともに、ある程度コントラストを良化でき、さらに回路のコストアップを抑えられるという効果を有する。
【００２１】
（実施の形態３）
図４は、本発明の実施の形態３に係る駆動電圧波形を示す。本実施の形態はＮ個のサブフィールドから構成される。パネル構造、プラズマディスプレイの構成は実施の形態１とほぼ同じものを使用することができる。
【００２２】
本構成では、第１サブフィールド以外の維持パルスＰｓｘ及びＰｓｙの数が多いサブフィールドで、実施の形態１と同様に、初期化期間において、走査電極ＳＣ１〜ＳＣｎに初期化パルスＰｒを印加すると同時に補助パルスＰｕｘを維持電極ＳＵ１〜ＳＵｎに印加する。維持パルス数の少ない第１サブフィールドでは補助パルスＰｕｘは印加していない。
【００２３】
維持パルス数の少ないサブフィールドでは、アドレスが生じにくい傾向がある。維持パルス数が行電極の片側に２〜３個以下の場合には、実施の形態１のように補助パルスＰｕｘを印加すると、アドレスが若干弱まる影響によってアドレスが不安定になる場合がある。本構成では、維持パルス数の極端に少ない第１サブフィールドにおいてのみ通常の初期化を施し、アドレス放電を安定に生じさせる。一方、維持パルス数が多くアドレスしやすい第２サブフィールド以降では、補助パルスＰｕｘを初期化パルスＰｒと同時に印加することによって、黒レベルを低くする。こうすることで、１フィールド全体の黒レベルはそれほど上昇しない。
【００２４】
つまり、本構成によれば、維持パルス数が多いサブフィールドでのみ補助パルスＰｕｘを印加することによって、高階調と低階調のアドレス安定性を両立するとともに、全体的な黒レベルの低下が実現でき、コントラストが良化するという効果を有する。
【００２５】
【発明の効果】
以上のように、本発明によれば、行電極対の一方に初期化パルスを印加して初期化放電を生じさせる初期化期間と、データ電極にアドレスパルスを印加してデータの書き込みを行うアドレス期間を有し、初期化パルスを印加する期間に、初期化パルスを印加しないほうの行電極に行電極対間の電圧が低くなるように補助電圧を印加することによって、安定にアドレスを行うことができるとともに、コントラストが良化するという効果を有する。
【００２６】
また、本発明によれば、行電極対の一方に初期化パルスを印加して初期化放電を生じさせる初期化期間とアドレスパルスを列電極に印加してデータの書き込みを行うアドレス期間を有する複数のサブフィールドを有し、少なくとも一つ以上の維持パルス数の少ないサブフィールドにおいて、初期化パルスを印加する期間に、初期化パルスを印加しないほうの行電極に行電極対間の電圧が低くなるように補助電圧を印加することによって、高階調と低階調両方におけるアドレス安定性を両立させるとともに、コントラストが良化するという効果を有する。
【図面の簡単な説明】
【図１】本発明のプラズマディスプレイの駆動方法に係るプラズマディスプレイの構成図
【図２】本発明の第１の実施の形態に係る駆動電圧印加タイミングチャート
【図３】本発明の第２の実施の形態に係る駆動電圧印加タイミングチャート
【図４】本発明の第３の実施の形態に係る駆動電圧印加タイミングチャート
【符号の説明】
１　パネル
２　走査電極側駆動回路
３　維持電極側駆動回路
４　データドライバ
Ｄ１〜Ｄｍ　データ電極
Ｐａ　アドレスパルス
Ｐｒ　初期化パルス
Ｐｓｃｎ　走査パルス
Ｐｓｘ、Ｐｓｙ　維持パルス
Ｐｕａ　アドレス補助パルス
Ｐｕｘ　補助パルス
ＳＣ１〜ＳＣｎ　走査電極
ＳＵ１〜ＳＵｎ　維持電極
【図１】
2004012786.tif 000003
【図２】
2004012786.tif 000004
【図３】
2004012786.tif 000005
【図４】
2004012786.tif 000006